(57)【要約】【課題】本発明は、アームの操作性がよく、かつ、当該アームの移動を容易に拘束することが可能な骨寸法測定器を提供することを目的とする。【解決手段】骨寸法測定器１は、上部本体４の取付軸部４３に対して回動可能に係合する凹部３１ａと、ロック用貫通孔３１ｆと、凹部３１ａを通過して貫通するアーム保持用貫通孔３１ｅと、を有する連結部３１を備える。そして、アーム保持用貫通孔３１ｅにアーム３２が挿入され、且つ、連結部３１の凹部３１ａが取付軸部４３に係合した取付状態において、ロック用貫通孔３１ｆに挿入された固定ネジ３３で取付軸部４３を付勢することで、固定ネジ３３と、凹部３１ａを形成する第２内側面３１ｄと、アーム３２と、の間で、取付軸部４３を挟み込むことができる。【選択図】図５
2010136763.tif 000002
【特許請求の範囲】
【請求項１】
下部本体と、
前記下部本体に対して一方向に移動可能に連結されるとともに、当該移動方向と略平行に延びる軸部を有する上部本体と、
前記軸部に対して回動可能に係合する凹部と、外周面と前記凹部を形成する面との間を貫通するロック用貫通孔と、一端側の外周面と他端側の外周面との間を前記凹部を通過して貫通するアーム保持用貫通孔と、を有する連結部と、
前記アーム保持用貫通孔に回動可能かつ進退可能に挿入されるアームと、
前記ロック用貫通孔に挿入されるロック部材と、
を備え、
前記アーム保持用貫通孔に前記アームが挿入され、且つ、前記連結部の前記凹部が前記軸部に係合した取付状態において、前記ロック用貫通孔に挿入された前記ロック部材で前記軸部を付勢することで、当該ロック部材と、前記凹部を形成する面と、前記アームと、の間で、前記軸部を挟み込むことができる骨寸法測定器。
【請求項２】
前記アームは、外周面の一部に平面部が形成された円柱状部を有しており、
前記取付状態において、前記ロック用貫通孔に挿入された前記ロック部材で前記軸部を付勢することで、当該ロック部材と、前記凹部を形成する面と、前記アームの前記平面部と、の間で、前記軸部を挟み込むことができる請求項１に記載の骨寸法測定器。
【請求項３】
前記ロック部材における前記軸部に当接する先端部が球面形状である請求項１または請求項２に記載の骨寸法測定器。
【発明の詳細な説明】
【技術分野】
【０００１】
本発明は、適切なインプラント寸法を特定するために骨端の寸法を測定する骨寸法測定器に関する。
【背景技術】
【０００２】
従来、特許文献１に記載の骨寸法測定器が知られている。この骨寸法測定器は、当該特許文献１においてＦｉｇ．１及びＦｉｇ．２に示すように、先端側において屈曲するアーム（３１６）と、当該アーム（３１６）が回動自在に連結されるスライド（２００）と、当該スライド（２００）を一方向に移動可能に保持するベース（１００）と、を有して構成される。そして、当該骨寸法測定器を用いて、以下のようにして、骨の寸法を測定することができる。
まず、ベース（１００）に設けられたフィート（１１６）の下部参照面（１１８）が骨先端における後部（Ｆｉｇ．２において下側の端部）に当接するように保持される。
次に、この状態でアーム（３１６）の先端が骨の前部（Ｆｉｇ．２において上側の端部）の所定位置に当接するように、当該アーム（３１６）を回動させつつ、当該アーム（３１６）が固定されたスライド（２００）をベース（１００）に対して移動させる。
そして、アーム（３１６）の先端を前記所定位置に当接させたときに、ポインタ（１３６）により指示されている表示を視認することで、骨の寸法を判断することができる。
【０００３】
【特許文献１】米国特許第７１７５６３０号明細書
【発明の開示】
【発明が解決しようとする課題】
【０００４】
しかしながら、特許文献１に記載の骨寸法測定器においては、アーム（３１６）をスライド（２００）に対して、一軸回りに回動させることでしか、アーム（３１６）の位置調整を行うことができない。そのため、アーム（３１６）の先端を骨の前部における適切な位置に当接させることができなくなるおそれがある。また、アーム（３１６）の自由度が低いため、当該アーム（３１６）を適切な位置に移動させるために必要なスペースが過大になりやすい。そのため、手術創が大きくなってしまうという問題もある。更に、所定の位置に配置されたアーム（３１６）をスライド（２００）に対して回動しないように固定することができないため、アーム（３１６）の位置ずれが生じやすい。
【０００５】
本発明は、上記実情に鑑みることにより、アームの操作性がよく、かつ、当該アームの移動を容易に拘束することが可能な骨寸法測定器を提供することを目的とする。
【課題を解決するための手段】
【０００６】
本発明は、適切なインプラント寸法を特定するために骨端の寸法を測定する骨寸法測定器に関する。
そして、本発明に係る骨寸法測定器は、上記目的を達成するために以下のようないくつかの特徴を有している。すなわち、本発明の骨寸法測定器は、以下の特徴を単独で、若しくは、適宜組み合わせて備えている。
【０００７】
上記目的を達成するための本発明に係る骨寸法測定器における第１の特徴は、下部本体と、前記下部本体に対して一方向に移動可能に連結されるとともに、当該移動方向と略平行に延びる軸部を有する上部本体と、前記軸部に対して回動可能に係合する凹部と、外周面と前記凹部を形成する面との間を貫通するロック用貫通孔と、一端側の外周面と他端側の外周面との間を前記凹部を通過して貫通するアーム保持用貫通孔と、を有する連結部と、前記アーム保持用貫通孔に回動可能かつ進退可能に挿入されるアームと、前記ロック用貫通孔に挿入されるロック部材と、を備え、前記アーム保持用貫通孔に前記アームが挿入され、且つ、前記連結部の前記凹部が前記軸部に係合した取付状態において、前記ロック用貫通孔に挿入された前記ロック部材で前記軸部を付勢することで、当該ロック部材と、前記凹部を形成する面と、前記アームと、の間で、前記軸部を挟み込むことができることである。
【０００８】
この構成によると、連結部を軸部に対して回動させることで、アームを上部本体に対して軸部回りに回動させることができる。更に、アームを当該アームの軸回りに回動させることもできるとともに、アーム保持用貫通孔に沿って進退させることもできる。これにより、アームを所望の位置に操作し易くなる。
また、ロック部材による軸部の付勢により、前記連結部及び前記アームの、前記上部本体に対する相対移動が規制される。即ち、一の操作により、アームの上部本体に対する相対移動（アーム進退・回動動作、連結部の回動動作）を規制することができる。
【０００９】
本発明に係る骨寸法測定器における第２の特徴は、前記アームは、外周面の一部に平面部が形成された円柱状部を有しており、前記取付状態において、前記ロック用貫通孔に挿入された前記ロック部材で前記軸部を付勢することで、当該ロック部材と、前記凹部を形成する面と、前記アームの前記平面部と、の間で、前記軸部を挟み込むことができることである。
【００１０】
この構成によると、取付状態において、ロック部材で軸部を付勢して、軸部をアームの平面部に当接させることができるので、確実にアームの回動を規制することができる。
【００１１】
本発明に係る骨寸法測定器における第３の特徴は、前記ロック部材における前記軸部に当接する先端部が球面形状であることである。
【００１２】
この構成によると、ロック部材から軸部に力を伝えやすい。また、付勢状態を安定させることができる。
【発明の効果】
【００１３】
本発明によると、アームの操作性が向上し、かつ、当該アームの位置固定を容易に行うことができる。
【発明を実施するための最良の形態】
【００１４】
以下、本発明を実施するための最良の形態について図面を参照しつつ説明する。
本実施形態においては、適切なインプラントサイズを特定するために大腿骨の遠位端部の前部／後部サイズ（Ａ／Ｐサイズ）を測定するための骨寸法測定器１を例に挙げて説明する。
【００１５】
図１は、本発明の実施形態に係る骨寸法測定器１を示す斜視図である。図２は、図１に示す骨寸法測定器１を裏側から見た斜視図である。図３は、図１に示す骨寸法測定器１を分解した斜視図である。図４は、図１に示すスタイラス３の（ａ）平面図（取付軸部４３の中心軸Ｘと平行な方向から見た図）、および（ｂ）側面図である。図５は、図４（ａ）に示す連結部３１の近傍部の拡大模式図である。
【００１６】
以下の骨寸法測定器１の説明においては、取付軸部４３の中心軸Ｘと平行な方向を「上下方向」として説明する。
【００１７】
図１〜図３に示すように、骨寸法測定器１は、上下に伸縮可能なサイザー本体２と、当該サイザー本体２に着脱可能なスタイラス３とを備えている。
【００１８】
＜サイザー本体の構成＞
サイザー本体２は、寸法測定時に大腿骨の後部に当接させる面を有する下部本体５と、当該下部本体５に対して上下にスライドできるように連結される上部本体４とを有して構成されている。
【００１９】
◆上部本体の構成
上部本体４は、上下に伸びる直方体形状の中央柱部４１と、当該中央柱部４１の下端から左右両側に延びるとともに屈曲して上方に延びる一対の延設部４２,４２と、当該中央柱部４１の上端から上方に向かって円柱状に延びる取付軸部４３と、当該取付軸部４３の上端において当該取付軸部４３よりも拡径するように設けられたフランジ部４４とを有している。
【００２０】
中央柱部４１は、当該中央柱部４１の下端に開口して上下方向に延びる略直方体状の空洞４１ａが形成されている（図３参照）。また、当該中央柱部４１の前面には、上下方向に延びる長孔４１ｂが形成されている。この長孔４１ｂは、表面から空洞４１ａまで貫通している。中央柱部４１の前面には、当該長孔４１ｂに隣接する位置に、サイズを示す目盛４１ｃが設けられている。
また、一対の延設部４２の上端部近傍には、取付軸部４３の中心軸および当該延設部４２の中央柱部４１に対する延設方向に対して垂直に延びる貫通孔４２ａが形成されている。
【００２１】
◆下部本体の構成
下部本体５は、上下に延びるスライド板５１と、当該スライド板５１の下端が一体的に連結されているスライド基端部５２と、当該スライド基端部５２に対し回動自在に連結される底面部材５３と、当該底面部材５３の前記スライド基端部５２に対する回動角度を調整可能なつまみ部５４と、を有している。
【００２２】
スライド板５１は、上部本体４における中央柱部４１の下端から上方に延びる空洞４１ａに挿入可能であり、当該空洞４１ａ内で上下方向にスライド移動可能である。尚、スライド板５１を前記空洞４１ａに挿入した状態で、スライド板５１の表面に、長孔４１ｂを介してポインタ５５が設置される。当該ポインタ５５は、表面側の端部にラインが記された円柱状部材であり、スライド板５１のスライド移動に伴って、長孔４１ｂに沿って移動する。
【００２３】
底面部材５３は、上部本体４と下部本体５とが連結された状態で、上部本体４の貫通孔４２ａと平行な軸回りに回動自在となるように、スライド基端部５２に対して連結される。当該底面部材５３は、スライド基端部５２の位置よりも背面側に向かって延設された延設板部５３ａを有している。底面部材５３の前記スライド基端部５２に対する回動角度は、つまみ部５４を回して調整することができる。手術の際には、患者の骨形状にあわせて、適切な回動角度となるように調整され、当該角度が変化しないように、底面部材５３のスライド基端部５２に対する位置が固定される。
【００２４】
＜スタイラスの構成＞
スタイラス３は、上部本体４の取付軸部４３に係合する連結部３１と、当該連結部３１に挿入されたアーム３２と、連結部３１にねじ込まれた固定ねじ３３とを有する。
【００２５】
◆連結部の構成
連結部３１は、平面視（図４（ａ）参照）にて外周に凹部３１ａが形成されたブロックである。凹部３１ａは、凹部底面３１ｂと、凹部底面３１ｂから約９０度屈曲して互いに略平行に延びる第１内側面３１ｃ及び第２内側面３１ｄとで構成される。第２内側面３１ｄは、凹部底面３１ｂから離れた端部近傍にて第１内側面３１ｃに近づくように屈曲している。
【００２６】
また、連結部３１には、第１内側面３１ｃと垂直な方向に延びるアーム保持用貫通孔３１ｅが形成されている。当該アーム保持用貫通孔３１ｅは、孔軸方向中間部で、径方向に向かって、凹部底面３１ｂに開口するように形成されている。そのため、アーム保持用貫通孔３１ｅに、当該アーム保持用貫通孔３１ｅと略同径の円柱状のアーム３２のアーム軸部３２ｂが挿入された状態では、平面視において、当該アーム軸部３２ｂの外周の一部が凹部３１ａ内に露出する。
【００２７】
また、連結部３１には、外周面と第１内側面３１ｃとの間を貫通するロック用貫通孔３１ｆが形成されている。ロック用貫通孔３１ｆの内周には、雌ねじが形成されており、固定ねじ３３の軸部３３ａをねじ込んで挿入することができる。ロック用貫通孔３１ｆの中心軸は、平面視においてアーム保持用貫通孔３１ｅの中心軸に対して約３０°傾いている。
【００２８】
また、図５に示すように、ロック用貫通孔３１ｆは、第１内側面３１ｃにおける凹部底面３１ｂから離れた端部近傍に開口しており、当該ロック用貫通孔３１ｆの中心軸の延長線は、当該第１内側面３１ｃの開口よりも凹部底面３１ｂに近い位置で、第２内側面３１ｄと交差する。
【００２９】
◆アームの構成
アーム３２は、円柱状の取っ手部３２ａと、取っ手部３２ａの端部から略同軸で延びるとともに先端近傍で屈曲するアーム軸部３２ｂとを有している。
アーム軸部３２ｂは、略円柱状に形成されているとともに、外周面において、互いに平行に延びる一対の平面３２ｃが形成されている。当該一対の平面３２ｃは、アーム軸部３２ｂの軸方向に、アーム保持用貫通孔３１ｅの長さの約２倍を超える長さで延びる平面である。そして、当該一対の平面３２ｃは、アーム軸部３２ｂの屈曲方向と平行に形成される。即ち、アーム軸部３２ｂの屈曲した中心軸は、平面３２ｃと平行な面上に位置する。
【００３０】
尚、アーム軸部３２ｂは、取っ手部３２ａに着脱自在に取り付けられている。例えば、アーム軸部３２ｂの端部に雄ねじを形成し、取っ手部３２ａに対応する雌ねじが形成されたネジ穴を形成し、アーム軸部３２ｂの端部を取っ手部３２ａのネジ穴にねじ込むことで、当該アーム軸部３２ｂを取っ手部３２ａに取り付けることができる。
【００３１】
アーム軸部３２ｂは、平面３２ｃがアーム保持用貫通孔３１ｅ内に位置するように、アーム保持用貫通孔３１ｅに挿入される。
また、連結部３１には、側面からアーム保持用貫通孔３１ｅに交差して内部まで延びるバネ用貫通孔３１ｇが形成されており、バネ用貫通孔３１ｇの底とアーム３２のアーム軸部３２ｂとの間に、バネ３４が設置される。このバネ３４により、アーム３２のアーム軸部３２ｂがアーム保持用貫通孔３１ｅの内周面に接するように付勢される。
【００３２】
尚、アーム軸部３２ｂを軸回りに回転して、平面３２ｃを凹部３１ａ側に対向させたとき、当該平面３２ｃは、凹部底面３１ｂよりも凹部３１ａの開放側に位置する（図５参照）。
【００３３】
◆固定ネジの構成
固定ネジ３３は、軸部３３ａと、当該軸部３３ａの端部に設けられたヘッド部３３ｂと、ヘッド部３３ｂから突出するつまみ部３３ｃとを有する。
【００３４】
軸部３３ａは、先端が球面状に形成されており、ロック用貫通孔３１ｆの雌ネジに螺合する雄ネジが刻まれている。
ヘッド部３３ｂは、軸部３３ａよりも大きな径となるように、当該軸部３３ａの基端部に設けられている。
つまみ部３３ｃは、ヘッド部３３ｂにおける軸部３３ａと逆側の端部から突出する板状部である。当該つまみ部３３ｃを利用して、固定ネジ３３を軸回りに容易に回転することができる。
【００３５】
この固定ネジ３３の軸部３３ａの長さは、ロック用貫通孔３１ｆよりも長い。そのため、軸部３３ａをロック用貫通孔３１ｆにねじ込み、当該軸部３３ａの球面状の先端を第１内側面３１ｃから凹部３１ａ内に突出させることができる。
【００３６】
＜施術方法について＞
以下、大腿骨の遠位端のサイズを測定するとともに、当該大腿骨の遠位端を、インプラント取付のために適切な形状に切断する方法について、図６〜図１１を用いて説明する。
図６及び図７は、骨寸法測定器１の取付方法を説明するための図である。また、図８は、図７に示す骨寸法測定器及び大腿骨の側面図である。図９は、位置決めピンを大腿骨に固定した状態を示す図である。図１０は、カットガイドを大腿骨に取り付けた状態を示す図である。図１１（ａ）は、図１０に示すカットガイド及び大腿骨の側面図であり、図１１（ｂ）は、大腿骨の端部をインプラント取付形状に切断した状態を示す図である。
【００３７】
（１）
まず、大腿骨１００の遠位端は、機能軸（大腿骨頭中心から膝関節中心を通る線）に対して垂直な断面で切断され、所定の基準平面Ｓが形成される（図６参照）。
【００３８】
（２）
図６に示すように、下部本体５の裏面が基準平面Ｓに当接し、且つ、底面部材５３における延設板部５３ａの上面が大腿骨１００の遠位端の後部に当接する位置に、サイザー本体２を持っていき、その位置でサイザー本体２を保持する。
【００３９】
（３）
図７に示すように、サイザー本体２の取付軸部４３にスタイラス３の連結部３１の凹部３１ａを係合させる。このとき、アーム３２の先端を横に向けた状態（図４に示す状態からアーム３２を約９０°軸回りに回転した状態）で、スタイラス３を患部に挿入する。このようにスタイラス３を挿入した場合、屈曲部分を含むアーム軸部３２ｂの全体が、係合方向と略平行な面内に位置するため、アーム３２の先端が大腿骨の表面等に干渉しにくくなり、スタイラス３をサイザー本体２の取付軸部４３に係合させ易い。
【００４０】
（４）
スタイラス３をサイザー本体２の取付軸部４３に係合させた後、アーム３２の先端が下側を向くように、当該アーム３２を約９０°軸回りに回転させる。即ち、アーム３２の先端が、取付軸部４３の軸方向における最も下方に位置するように、アーム３２を軸回りに回動させる。
尚、このとき、連結部３１とアーム軸部３２ｂとの間に設けられたバネ３４（図５参照）の端面がアーム３２の平面３２ｃに当接し、当該平面３２ｃを付勢することにより、アーム３２の先端が、下側を向いた状態で保持される。
【００４１】
そして、アーム３２の先端が大腿骨１００の前部の所定の位置に当接するように、アーム３２を移動させる。このとき、固定ネジ３３を、取付軸部４３が凹部３１ａから外れない程度に緩めておくことで、アーム３２を、軸方向（図７における矢印Ａ１方向）に進退移動させることができる。また、連結部３１を介してアーム３２を取付軸部４３の軸回り（図７における矢印Ａ２方向）に回動させることができる。
ここで、図８に示すように、アーム３２の上部本体４に対する上方への相対移動は、連結部３１の上面が上部本体４のフランジ部４４に当接することで規制され、下方への相対移動は、連結部３１の下面が上部本体４の中央柱部４１の上面に当接することで規制されている。つまり、上部本体４に対してのアーム３２の上下移動は拘束されている。
一方、上部本体４は下部本体５に対して上下に移動できるので、当該アーム３２を当該上部本体４とともに上下に移動させることができる。
このように、適宜、アーム３２を移動して、アーム３２の先端を大腿骨１００の前部の所定の位置に当接させる。
【００４２】
（５）
アーム３２の先端が大腿骨１００の前部の所定の位置に当接した状態で、凹部３１ａ内に進出するように固定ネジ３３を締め付ける。
これにより、図５に示すように、取付軸部４３が、固定ネジ３３の先端部と、第２内側面３１ｄと、アーム３２に設けられた平面３２ｃと、に当接して、３点（図５において、α、β、γで当接点を示す）で支持される。
このとき、アーム３２の平面３２ｃに取付軸部４３の外周面が当接することで、アーム３２の軸回りの回動が規制される。そして、取付軸部４３によりアーム３２がアーム保持用貫通孔３１ｅの内周面に向かう方向に付勢されるため、アーム３２とアーム保持用貫通孔３１ｅとの間の摩擦力により、当該アーム３２の軸方向への移動も拘束される。更に、上記３点で生じる摩擦力により、スタイラス３の、取付軸部４３回りの回動が規制される。
【００４３】
（６）
アーム３２の先端が大腿骨１００の前部の所定の位置に当接した状態において、ポインタ５５が指示するサイズを確認する。当該ポインタ５５により指示されたサイズが、大腿骨１００の遠位端のサイズである。そして、当該サイズに基づいて、使用されるインプラントのサイズ及び大腿骨の遠位端を切断するためのカットガイドのサイズが選択される。
【００４４】
（７）
図９に示すように、２本の位置決めピン６,６を、サイザー本体２の貫通孔４２ａ,４２ａを介して大腿骨１００の遠位端の基準平面Ｓに立てる。
そして、２本の位置決めピン６,６を基準平面Ｓに残したまま、骨寸法測定器１を大腿骨１００から取り外す。
【００４５】
（８）
図１０に示すように、２本の位置決めピン６,６が貫通孔７ａ,７ａを通過するように、カットガイド７を基準平面Ｓに設置する。尚、この状態でカットガイド７は、大腿骨１００にネジ等で固定される。
そして、このカットガイド７に設けられた複数の溝に沿って切断用の刃物を移動させて、大腿骨１００の遠位端を切断する。図１１（ａ）に切断面を二点鎖線で模式的に示す。
これにより、図１１（ｂ）に示すように、大腿骨１００の遠位端が、インプラントの形状に合った所定の形状に切断される。
【００４６】
＜本実施形態の効果＞
以上説明したように、本実施形態に係る骨寸法測定器１は、下部本体５と、下部本体５に対して一方向に移動可能に連結されているとともに、当該移動方向と平行に延びる取付軸部４３を有する上部本体４と、取付軸部４３に対して回動可能に係合する凹部３１ａと、外周面と凹部３１ａを形成する第１内側面３１ｃとの間を貫通するネジ孔であるロック用貫通孔３１ｆと、一端側の外周面と他端側の外周面との間を凹部３１ａを通過して貫通するアーム保持用貫通孔３１ｅと、を有する連結部３１と、アーム保持用貫通孔３１ｅに回動可能かつ進退可能に挿入されるアーム３２と、ロック用貫通孔３１ｆに螺挿される固定ネジ３３と、を備えている。
そして、アーム保持用貫通孔３１ｅにアーム３２が挿入され、且つ、連結部３１の凹部３１ａが取付軸部４３に係合した取付状態において、ロック用貫通孔３１ｆに螺挿された固定ネジ３３を締め付けて取付軸部４３を付勢することで、固定ネジ３３と、凹部３１ａを形成する第２内側面３１ｄと、アーム３２と、の間で、取付軸部４３を挟み込むことができる。
【００４７】
この構成によると、固定ネジ３３を緩め、連結部３１を取付軸部４３に対して回動させることで、アーム３２を上部本体４に対して取付軸部４３回りに回動させることができる。更に、アーム３２を当該アーム３２の軸回りに回動させることもできるとともに、アーム保持用貫通孔３１ｅに沿って進退させることもできる。これにより、アーム保持用貫通孔３１ｅを所望の位置に操作し易くなる。
また、固定ネジ３３による取付軸部４３の付勢により、連結部３１及びアーム３２の、上部本体４に対する相対移動が規制される。即ち、固定ネジ３３を締め付ける操作により、アーム３２の上部本体４に対する相対移動（アーム進退・回動動作、連結部の回動動作）を規制することができる。
【００４８】
また、骨寸法測定器１において、アーム３２は、外周面の一部に平面３２ｃが形成された円柱状のアーム軸部３２ｂを有している。そして、連結部３１にアーム３２が取付られた取付状態において、ロック用貫通孔３１ｆにねじ込まれた固定ネジ３３で取付軸部４３を付勢することで、固定ネジ３３と、凹部３１ａを形成する第２内側面３１ｄと、アーム３２の平面３２ｃと、の間で、取付軸部４３を挟み込むことができる。
【００４９】
この構成によると、取付状態において、固定ネジ３３で取付軸部４３を付勢して、取付軸部４３をアーム３２の平面３２ｃに当接させることができるので、確実にアーム３２の回動を規制することができる。
また、アーム３２の先端を横に向けた状態（図４に示す状態からアーム３２を約９０°軸回りに回転した状態）では、アーム軸部３２ｂの円弧面が取付軸部４３側に対向しているため、アーム３２の先端を下方に向けるように当該アーム３２を回転させる操作をスムーズに行うことができる。
【００５０】
また、固定ネジ３３における取付軸部４３に当接する先端部が球面形状であるので、当該固定ネジ３３から取付軸部４３に力を伝えやすい。また、付勢状態を安定させることができる。
【００５１】
以上、本発明の実施形態について説明したが、本発明は上述の実施の形態に限られるものではなく、特許請求の範囲に記載した限りにおいて様々に変更して実施することができるものである。
【００５２】
＜変形例＞
（１）
固定ネジ３３をロック用貫通孔３１ｆにねじ込んで、当該固定ネジ３３で取付軸部４３を付勢してスタイラス３を固定する構成に限定されない。付勢力を安定化するため弾性部材等を介して、取付軸部４３を付勢する構成であってもよい。
【００５３】
（２）
当接点α、β、γが、取付軸部４３の外周を三等分する位置に配置されるように構成してもよい。即ち、図５において取付軸部４３の中心を点Ｏとしたときに、角α−Ｏ−β、角β−Ｏ−γ、角γ−Ｏ−αが、約１２０°となるように構成してもよい。この場合、より安定してスタイラスを取付軸部４３に固定することができる。
【図面の簡単な説明】
【００５４】
【図１】本発明の実施形態に係る骨寸法測定器を示す斜視図。
【図２】図１に示す骨寸法測定器を裏側から見た斜視図。
【図３】図１に示す骨寸法測定器を分解した斜視図。
【図４】図１に示すスタイラスの（ａ）平面図および（ｂ）側面図。
【図５】図４に示す連結部の近傍部の拡大模式図。
【図６】骨寸法測定器の取付方法を説明するための図。
【図７】骨寸法測定器の取付方法を説明するための図。
【図８】図７に示す骨寸法測定器及び大腿骨の側面図。
【図９】位置決めピンを大腿骨に固定した状態を示す図。
【図１０】カットガイドを大腿骨に取り付けた状態を示す図。
【図１１】（ａ）図１０に示すカットガイド及び大腿骨の側面図及び（ｂ）大腿骨切断後の模式図。
【符号の説明】
【００５５】
１  骨寸法測定器
４  上部本体
５  下部本体
３１  連結部
３１ａ  凹部
３１ｅ  ロック用貫通孔
３１ｆ  アーム保持用貫通孔
３２  アーム
３３  固定ネジ（ロック部材）
【図１】
2010136763.tif 000003
【図２】
2010136763.tif 000004
【図３】
2010136763.tif 000005
【図４】
2010136763.tif 000006
【図５】
2010136763.tif 000007
【図６】
2010136763.tif 000008
【図７】
2010136763.tif 000009
【図８】
2010136763.tif 000010
【図９】
2010136763.tif 000011
【図１０】
2010136763.tif 000012
【図１１】
2010136763.tif 000013